(57)【要約】【課題】    プラスチック内袋を紙外袋から容易に抜き出せるようにし、更には不活性ガスとともに充填されても簡単にもれず、製造を容易にした不活性ガス紙複合包装袋を提供する。【解決手段】  少なくともプラスチック内袋１と紙外袋２とからなり、内容物が充填され、充填口７が封止された包装状態から、前記内容物を収容しているプラスチック内袋１を前記紙外袋２から抜き出し可能となるように構成している複合包装袋において、プラスチックフイルム製内袋1が３層〜５層構成の多層フイルムからなり、該多層フイルムの最外層がナイロン層であることを特徴とする不活性ガス紙複合包装袋。【選択図】  図１ 
2005022744.tif 000002
【特許請求の範囲】
【請求項１】
少なくともプラスチック内袋と紙外袋とからなり、底封止部近傍に前記紙外袋を挟んで外袋紙の上から加熱してプラスチック内袋を熱融着し、次に外袋紙とともにプラスチック内袋をオーバーテープで封止された包装状態から、前記内容物と不活性ガスを収容しているプラスチック内袋を前記紙外袋から抜き出し可能となるように構成してい
る大型複合包装袋において、前記プラスチックフイルム製内袋が３層〜５層構成の多層フ
イルムからなり、該多層フイルムの最外層がナイロン層であることを特徴とするガス紙複
合包装袋。
【請求項２】
前記プラスチック内袋に、不活性ガスを置換するかもしくは脱酸素剤を封
入し、不活性ガス状態もしくは脱酸素状態を維持可能なことを特徴とする請求項1に記載
の大型紙複合包装袋。
【請求項３】
前記外袋紙とともにプラスチック内袋を折り曲げ、オーバーテープで封止
された包装状態から外袋紙とプラスチック内袋の折り曲げを開放するために外装内のカッ
トテープでイージーオープン化することを特徴とする請求項1に記載の大型紙複合包装袋。
【発明の詳細な説明】
【技術分野】
【０００１】
本発明は、風味・防水性・防湿性が要求される粉体・粒体等を包装するための紙複合包
装袋に関する。
【背景技術】
【０００２】
不活性ガス充填包装とは、食品等を不活性ガス中に保持し、空気中の酸素による好まし
くない変化を阻止しようとする包装である。
【０００３】
空気中の酸素は食品にとってありがたくない存在であることが多い。油脂、ビタミン、
色素、香気成分などの酸化は、多くの場合、空気中の酸素との結合によるものである。
また、カビや害虫も、酸素の存在によってその生命が維持される。そこで、食品の雰囲気
から酸素をなくすことによって味覚、栄養価、色調、香りなど、食品として不可欠な要素
を失うことなく、できたての新鮮さを保持することができる。また、カビや害虫に対する
食品衛生の面からも安心できることになる。ガス充填包装の保存効果を列記すると、 
1.油脂成分の酸化防止 
2.ビタミンＣなど、有効成分の保存 
3.香気成分の酸化による異臭・変臭の防止 
4.色素の酸化による変色・退色の防止 
5.カビ、好気性菌、酵母による腐敗・発酵阻止 
6.虫害の防止 
などである。 
【０００４】
ガス充填包装の歴史は古代中国にさかのぼる。古代中国では、食品容器内で油を燃焼さ
せて酸素を消費し、食品を長期保存させたという記録がある。また英国では、およそ１５
０年前に、びん牛乳のヘッドスペース部分を二酸化炭素（炭酸ガス）で置換して保存性を
向上させるという特許が提出されている。このように、ガス充填包装は原理的には古くか
ら知られていたもので、決して目新しいものではない。また、真空包装、脱酸素剤包装も
空気中の酸素との遮断ということで基本的考え方は同じである。 
【０００５】
しかし、最近になって特にガス充填包装の普及が著しく、広く採用されるようになった
のは、食品にはまったく手を加えずに、包装だけで保存性を高められるという点に大きな
メリットがあるためである。また、新鮮さ、出来立て風味を求める消費者の要望に応える
べく、チルド保存、無菌包装との併用など、包装による高度な保存技術の向上も大きな要
因である。しかし、これまでは小型の袋が対象であり、10ｋｇ〜30ｋｇを充填する産業用
の大型包装袋については、どのような構成が機能上好ましいか全く知られてはいなかった。
大型包装袋における不活性ガス袋の連続的製造を可能とする内袋フイルムの構成について
は知見がなかった。 
【０００６】
ガス充填包装に使用される不活性ガスとしては窒素ガス（Ｎ２）、二酸化炭素(炭酸ガス、
ＣＯ２)、特殊な用途として酸素ガス(Ｏ２)があり、単体もしくはこれらの混合ガスが、目的によって使い分けられる。
また窒素ガスは、体積比で空気中７８％を占めており、無味・無臭・無色の、ほとんど
反応性のない不活性ガスである。もちろん無害・無毒である。ガス置換包装では、空気中
の酸素を除去するのが目的で、油菓子、ナッツ、削り節、コーヒー、日本茶など、主とし
て酸化防止、変退色の防止、香気保存などに使用される。静菌作用はないので、窒素ガス
単体ではカビ、腐敗防止効果は低い。 
【０００７】
二酸化炭素は、水にも油にも溶解し、水溶液中においては炭酸によって微酸性を呈し、
食味に影響することがある。しかし、窒素ガスにはない静菌・防虫作用があって、好気性
菌、カビ、害虫などの発生を抑える力がある。二酸化炭素ガスをもちいたものは生肉、ウ
ィンナーソーセージ、和・洋生菓子、半生菓子、豆類、穀類などのカビ、腐敗、虫害防止
に効果を発揮する。袋内の二酸化炭素濃度が３０％で一応の効果があり、５０％以上では
ほとんどのカビは防止できる。 
肉のきれいな赤色は、酸素と結合した、オキシミオグロビンによるもので、鮮魚、生肉
のきれいな赤味を発色させるために酸素を封入する。 
【０００８】
二酸化炭素は、窒素ガスに比べて、プラスチックフイルムをよく透過するので、二酸化
炭素１００％置換では袋外にガスが逸散して真空状態になりやすい。そこでフイルムを透
過しにくい窒素ガスと、二酸化炭素ガスの混合ガスを用いて減圧状態になるのを防止する
方法を使用することも多い。また、酸素ガスで肉類の発色をきれいにし、二酸化炭素ガス
で保存性をだすために酸素ガスと二酸化炭素の混合ガスを用いることもある。
【０００９】
防水性および防湿性が要求される粉体、粒体および液体等を包装するための包装袋とし
て、突き刺し強度、摩擦、加工性に優れた紙外袋と防水性・防湿性に優れたプラスチック
内袋からなる複合包装袋が多く使用されている。かかる複合包装袋は、内容物を充填して
包装した状態で、倉庫に保管され、トラック等の搬送手段を経て、例えば、食品会社や製
薬会社等の工場に運ばれ、開封作業場で開封され、内容物が取り出されるといった扱いが
なされている。  前記内容物を収容しているプラスチック内袋を紙外袋から抜き出し、使
用するように構成された複合包装袋は図１、図２に示すように、底部３が熱融着によりシ
ールされたプラスチック内袋１とクラフト紙からなる紙外袋２で構成されており、熱融着
によりシールするとき、開封作業場で上部が開封され、充填内容物を含むプラスチック内
袋が取り出されるように紙外装から分離できるようにしなければならないが、通常のプラ
スチック内袋１では紙外袋と前記プラスチック内袋が接着してしまう現象がみられた。
【００１０】
したがって、手差しで紙外装にプラスチック内袋を入れ込む方法があるが、人手がかか
り好ましい方法でなかった。また一層のプラスチック内袋では密閉度低く、気体透過性が
あり、不活性ガス袋として機能上問題があった。
【発明の開示】
【発明が解決しようとする課題】
【００１１】
しかしながら、前記従来のプラスチック内袋１を紙外袋２から抜き出し、使用するよう
に構成された大型複合包装袋では、一般に紙外袋と前記プラスチック内袋が接着しないこ
とハイバリヤ性を重視していなかった理由から、プラスチック内袋の紙を通しての熱シー
ル性や不活性ガスの漏れを防止するための手段については全く考慮されておらず、このた
め紙外袋を通してのプラスチック内袋１をシールし難く、また不活性ガスを置換したプラ
スチック内袋１の重量が１０Kg〜３０Kgもあるような場合は、プラスチック内袋１におい
て長期間ガス保持は極めて困難となっているといった問題があった。
【００１２】
本発明の目的は、紙からなる外層を通してプラスチック内袋をシールし、連続的にオー
バーテープで補強できる独自の製造工程において、紙とプラスチック内袋は過熱しても非
接着性で内面が確実に接着するプラスチック内袋を使用することにより、長期間ガス保持
を容易にした新規の大型複合包装袋を提供することにある。
【課題を解決するための手段】
【００１３】
上記目的を達成するため、請求項1に記載の発明は、少なくともプラスチック内袋と紙
外袋とからなり、内容物が充填され充填口が封止された包装状態から、前記内容物を収容
しているプラスチック内袋を前記紙外袋から抜き出し可能となるように構成している大型
複合包装袋において、底封止部近傍に前記紙外袋を挟んで紙の上から加熱してプラスチッ
ク内袋を熱融着し、前記プラスチックフイルム製内袋が３層〜５層構成の多層フイルムか
らなり、該多層フイルムの外層がナイロン層であることを特徴とするガス複合包装袋によ
って達成された。
【００１４】
請求項2に記載の発明は、前記プラスチック内袋に、不活性ガスを置換するかもしくは
脱酸素剤を封入し、不活性ガス状態もしくは脱酸素状態を維持可能なことを特徴とする請
求項1に記載の大型紙複合包装袋によって達成された。
かかる構成から、プラスチック内袋に収容した内容物は不活性ガスで置換し、空気以外
の気体で封入し、不安定な内容物の香気などを保持可能にすることができる。
請求項３に記載の発明は、前記外袋紙とともにプラスチック内袋を折り曲げ、オーバー
テープで封止された包装状態から外袋紙とプラスチック内袋の折り曲げを開放するために
外装内のカットテープでイージーオープン化することを特徴とする請求項1に記載の大型
紙複合包装袋によって達成された。
【００１５】
かかる構成から、紙との接着性を防ぎ、最内層のシールを確実に可能とする。また、こ
の底部オーバーテープ５はカットテープ６により、切断し、外袋紙とプラスチック内袋の
折り曲げを開放することを可能にする。
本発明は内側にナイロン層からなる３層〜５層構成のフイルムであれば、使用可能である
が、フイルム具体的例として以下のものがある。
リニアローデン（ＰＥＬＬ）（内側）
ポリエチレン（接着層）
エバール
ポリエチレン（接着層）
ナイロン              （外側）
全体で６０ミクロン、内側にポリエチレンのリニアローデンを使用し、低温シールを可
能とする。外側にナイロン使用によりシール温度において紙との接着性を消失させる。し
たがってシール・オーバーテープ機によって内袋シール及び外層の製袋が可能となる。
また、充填時の衝撃によって内袋シールが破壊されないように紙外装２とプラスチック内
袋１を一回折り以上に折ってからオーバーテープで封止することができる。
【発明の効果】
【００１６】
以上のように、本発明に係る紙複合包装袋によれば、紙からなる外層を通してプラスチ
ック内袋をシールし、連続的にオーバーテープで補強できる独自の製造工程において、紙
とプラスチック内袋は過熱しても非接着性で内面が確実に接着するプラスチック内袋を使
用することにより、長期間ガス保持を容易にした新規の大型複合包装袋を提供するができ
る。
【発明を実施するための最良の形態】
【００１７】
以下、本発明に係る複合包装袋の実施の形態の…例を図１乃至図２により説明する。
図１は本発明に係る複合包装袋の一部切欠平面図、図２は図１のＢ−Ｂ線拡大断面図であ
る。
図面において、１はプラスチック内袋、２は前記プラスチック内袋１の外層を構成する
紙外袋である。前記プラスチック内袋１は、底部３が熱融着によりシールされている。４
は底部シール部である。プラスチック内袋１にあっては、本例では上記5層の複合フィル
ムが用いられているが、３層の複合フィルム以上であればよく、最外層がナイロンであり、
シール層がポリエチレンであれば、これに限定されるものではない。前記紙外袋２は、前
記プラスチック内袋１を内包した状態で、内包したプラスチック内袋１の底部側が、該プ
ラスチック内袋１の底部３を底部オーバーテープ５により封止されている。この底部オー
バーテープ５は、底部オーバーテープ５とプラスチック内袋１の底部３との間に配置した
カットテープ６により切断可能な構造となっている。また、前記プラスチック内袋１と紙
外袋２は、充填口７側で、接着剤８により、プラスチック内袋１を紙外袋２から抜き出し
方向に引っ張ったとき、容易に剥離する程度の接着力で接着されているかもしくはハサミ
で切断し、容易に剥離することができる。前記紙外袋２はクラフト紙が用いられている。
前記内層と外層を構成する前記プラスチック内袋１と紙外袋２には、その底封止部９の
近傍に位置している。  このように構成された複合包装袋内に内容物を充填したら、紙外
袋２の上から加熱し、内側にあるプラスチック内袋１の充填口７を熱融着してシールし、
その後、紙外袋２の前記プラスチック内袋１の充填口７側を、該プラスチック内袋１と干
渉しないように充填部オーバーテープ１１により封止して包装する。１２は充填部シール
部である。また、紙外袋２から内容物を収容しているプラスチック内袋１を抜き出す場合、
紙外袋２の前記プラスチック内袋１の底部３側の底部オーバーテープ５をカットテープ６
により切断して紙外袋２のプラスチック内袋１の底部３側を開封し、プラスチック内袋１
を紙外袋２から容易に抜き出すことができる。  更には、前記のように構成された複合包
装袋は、前記従来の複合包装袋の底封止部近傍に前記紙外袋２とプラスチック内袋１を貫
通する貫通口を形成し、紙外袋２の上から加熱して、プラスチック内袋１の貫通口の周辺
を熱融着するといった簡単な工程を加えることにより容易に製造することができる。
【図面の簡単な説明】
【００１８】
【図１】本発明に係る複合包装袋の実施の形態の一例を示す一部切欠平面図。
【図２】図1のB−B線拡大断面図。
【符号の説明】
【００１９】
1  プラスチック内袋
2  紙外袋
3  底部
4  底部シール部
5  底部オーバーテープ
6  カットテープ
7  充填口
8  接着剤
9  底封止部
10  内容物収容部
11  充填部オーバーテープ
12  充填部シール部
【図１】
2005022744.tif 000003
【図２】
2005022744.tif 000004